(57)【要約】【課題】従来の日本語入力方法及び配置は、わかり難く、利便性に欠け、誤入力を招きやすい、ストレスの多く掛かるものであった。原因は、ボタンの役割分担が適切にできていなかった。（一つのボタンが多くの役割を担当していた）日本語の特徴を踏まえた配置をしていなかった。（わかり難さを招いていた）完全に一文字ずつの入力で、小文字が入る語「じゅ」などを「じ」と「ゅ」に分けて入力していた。（機能性・利便性に欠ける）【解決の手段】各々ボタンに適切な配置を行っている。三列五段  十五個のボタンを利用する。その適切な配置は、日本語の特徴と利便性を重視したものである。その配置を利用し、入力する。入力方法も日本語の特徴と利便性を重視したものである。【選択図】  図１
2004240808.tif 000002
【特許請求の範囲】
【請求項１】
縦三列（左列・中列・右列）横五段（一番上の段を一段目  上から二番目の段を二段目  上から三番目の段を三段目  下から二段目の段を四段目  一番下の段を五段目）で文字入力を行うボタンの配置。
【請求項２】
縦三列横五段という十五個のボタン配置による、濁音・半濁音を含まない直音の入力方法
「あ」  左列一段目のボタンを一回押し  続けて中列一段目のボタンを一回押す
「い」  左列一段目のボタンを一回押し  続けて中列二段目のボタンを一回押す
「う」  左列一段目のボタンを一回押し  続けて中列三段目のボタンを一回押す
「え」  左列一段目のボタンを一回押し  続けて中列四段目のボタンを一回押す
「お」  左列一段目のボタンを一回押し  続けて中列五段目のボタンを一回押す
「か」  左列二段目のボタンを一回押し  続けて中列一段目のボタンを一回押す
「き」  左列二段目のボタンを一回押し  続けて中列二段目のボタンを一回押す
「く」  左列二段目のボタンを一回押し  続けて中列三段目のボタンを一回押す
「け」  左列二段目のボタンを一回押し  続けて中列四段目のボタンを一回押す
「こ」  左列二段目のボタンを一回押し  続けて中列五段目のボタンを一回押す
「さ」  左列三段目のボタンを一回押し  続けて中列一段目のボタンを一回押す
「し」  左列三段目のボタンを一回押し  続けて中列二段目のボタンを一回押す
「す」  左列三段目のボタンを一回押し  続けて中列三段目のボタンを一回押す
「せ」  左列三段目のボタンを一回押し  続けて中列四段目のボタンを一回押す
「そ」  左列三段目のボタンを一回押し  続けて中列五段目のボタンを一回押す
「た」  左列四段目のボタンを一回押し  続けて中列一段目のボタンを一回押す
「ち」  左列四段目のボタンを一回押し  続けて中列二段目のボタンを一回押す
「つ」  左列四段目のボタンを一回押し  続けて中列三段目のボタンを一回押す
「て」  左列四段目のボタンを一回押し  続けて中列四段目のボタンを一回押す
「と」  左列四段目のボタンを一回押し  続けて中列五段目のボタンを一回押す
「な」  左列五段目のボタンを一回押し  続けて中列一段目のボタンを一回押す
「に」  左列五段目のボタンを一回押し  続けて中列二段目のボタンを一回押す
「ぬ」  左列五段目のボタンを一回押し  続けて中列三段目のボタンを一回押す
「ね」  左列五段目のボタンを一回押し  続けて中列四段目のボタンを一回押す
「の」  左列五段目のボタンを一回押し  続けて中列五段目のボタンを一回押す
「は」  右列一段目のボタンを一回押し  続けて中列一段目のボタンを一回押す
「ひ」  右列一段目のボタンを一回押し  続けて中列二段目のボタンを一回押す
「ふ」  右列一段目のボタンを一回押し  続けて中列三段目のボタンを一回押す
「へ」  右列一段目のボタンを一回押し  続けて中列四段目のボタンを一回押す
「ほ」  右列一段目のボタンを一回押し  続けて中列五段目のボタンを一回押す
「ま」  右列二段目のボタンを一回押し  続けて中列一段目のボタンを一回押す
「み」  右列二段目のボタンを一回押し  続けて中列二段目のボタンを一回押す
「む」  右列二段目のボタンを一回押し  続けて中列三段目のボタンを一回押す
「め」  右列二段目のボタンを一回押し  続けて中列四段目のボタンを一回押す
「も」  右列二段目のボタンを一回押し  続けて中列五段目のボタンを一回押す
「や」  右列三段目のボタンを一回押し  続けて中列一段目のボタンを一回押す
「ゐ」  右列三段目のボタンを一回押し  続けて中列二段目のボタンを一回押す
「ゆ」  右列三段目のボタンを一回押し  続けて中列三段目のボタンを一回押す
「よ」  右列三段目のボタンを一回押し  続けて中列五段目のボタンを一回押す
「ら」  右列四段目のボタンを一回押し  続けて中列一段目のボタンを一回押す
「り」  右列四段目のボタンを一回押し  続けて中列二段目のボタンを一回押す
「る」  右列四段目のボタンを一回押し  続けて中列三段目のボタンを一回押す
「れ」  右列四段目のボタンを一回押し  続けて中列四段目のボタンを一回押す
「ろ」  右列四段目のボタンを一回押し  続けて中列五段目のボタンを一回押す
「わ」  右列五段目のボタンを一回押し  続けて中列一段目のボタンを一回押す
「を」  右列五段目のボタンを一回押し  続けて中列五段目のボタンを一回押す
【請求項３】
縦三列横五段という十五個のボタン配置による、濁音を含む直音の入力方法
「が」  左列二段目のボタンを一回押し  続けて中列一段目のボタンを二回押す
「ぎ」  左列二段目のボタンを一回押し  続けて中列二段目のボタンを二回押す
「ぐ」  左列二段目のボタンを一回押し  続けて中列三段目のボタンを二回押す
「げ」  左列二段目のボタンを一回押し  続けて中列四段目のボタンを二回押す
「ご」  左列二段目のボタンを一回押し  続けて中列五段目のボタンを二回押す
「ざ」  左列三段目のボタンを一回押し  続けて中列一段目のボタンを二回押す
「じ」  左列三段目のボタンを一回押し  続けて中列二段目のボタンを二回押す
「ず」  左列三段目のボタンを一回押し  続けて中列三段目のボタンを二回押す
「ぜ」  左列三段目のボタンを一回押し  続けて中列四段目のボタンを二回押す
「ぞ」  左列三段目のボタンを一回押し  続けて中列五段目のボタンを二回押す
「だ」  左列四段目のボタンを一回押し  続けて中列一段目のボタンを二回押す
「ぢ」  左列四段目のボタンを一回押し  続けて中列二段目のボタンを二回押す
「づ」  左列四段目のボタンを一回押し  続けて中列三段目のボタンを二回押す
「で」  左列四段目のボタンを一回押し  続けて中列四段目のボタンを二回押す
「ど」  左列四段目のボタンを一回押し  続けて中列五段目のボタンを二回押す
「ば」  右列一段目のボタンを一回押し  続けて中列一段目のボタンを二回押す
「び」  右列一段目のボタンを一回押し  続けて中列二段目のボタンを二回押す
「ぶ」  右列一段目のボタンを一回押し  続けて中列三段目のボタンを二回押す
「べ」  右列一段目のボタンを一回押し  続けて中列四段目のボタンを二回押す
「ぼ」  右列一段目のボタンを一回押し  続けて中列五段目のボタンを二回押す
「ヴ」  左列一段目のボタンを一回押し  続けて中列三段目のボタンを三回押す
【請求項４】
縦三列横五段という十五個のボタン配置による、半濁音を含む直音の入力方法
「ぱ」  右列一段目のボタンを一回押し  続けて中列一段目のボタンを三回押す
「ぴ」  右列一段目のボタンを一回押し  続けて中列二段目のボタンを三回押す
「ぷ」  右列一段目のボタンを一回押し  続けて中列三段目のボタンを三回押す
「ぺ」  右列一段目のボタンを一回押し  続けて中列四段目のボタンを三回押す
「ぽ」  右列一段目のボタンを一回押し  続けて中列五段目のボタンを三回押す
【請求項５】
縦三列横五段という十五個のボタン配置による、撥音の入力方法
「ん」  左列五段目のボタンを二回押す
【請求項６】
縦三列横五段という十五個のボタン配置による、拗音の入力方法  「きゃ」  左列二段目のボタンを一回押し  続けて右列三段目のボタンを一回押し  続けて中列一段目のボタンを一回押す
「きぃ」  左列二段目のボタンを一回押し  続けて右列三段目のボタンを一回押し  続けて中列二段目のボタンを一回押す
「きゅ」  左列二段目のボタンを一回押し  続けて右列三段目のボタンを一回押し  続けて中列三段目のボタンを一回押す
「きぇ」  左列二段目のボタンを一回押し  続けて右列三段目のボタンを一回押し  続けて中列四段目のボタンを一回押す
「きょ」  左列二段目のボタンを一回押し  続けて右列三段目のボタンを一回押し  続けて中列五段目のボタンを一回押す
「くぁ」  左列二段目のボタンを一回押し  続けて右列五段目のボタンを一回押し  続けて中列一段目のボタンを一回押す
「しゃ」  左列三段目のボタンを一回押し  続けて右列三段目のボタンを一回押し  続けて中列一段目のボタンを一回押す
「しぃ」  左列三段目のボタンを一回押し  続けて右列三段目のボタンを一回押し  続けて中列二段目のボタンを一回押す
「しゅ」  左列三段目のボタンを一回押し  続けて右列三段目のボタンを一回押し  続けて中列三段目のボタンを一回押す
「しぇ」  左列三段目のボタンを一回押し  続けて右列三段目のボタンを一回押し  続けて中列四段目のボタンを一回押す
「しょ」  左列三段目のボタンを一回押し  続けて右列三段目のボタンを一回押し  続けて中列五段目のボタンを一回押す
「ちゃ」  左列四段目のボタンを一回押し  続けて右列三段目のボタンを一回押し  続けて中列一段目のボタンを一回押す
「ちぃ」  左列四段目のボタンを一回押し  続けて右列三段目のボタンを一回押し  続けて中列二段目のボタンを一回押す
「ちゅ」  左列四段目のボタンを一回押し  続けて右列三段目のボタンを一回押し  続けて中列三段目のボタンを一回押す
「ちぇ」  左列四段目のボタンを一回押し  続けて右列三段目のボタンを一回押し  続けて中列四段目のボタンを一回押す
「ちょ」  左列四段目のボタンを一回押し  続けて右列三段目のボタンを一回押し  続けて中列五段目のボタンを一回押す
「つぁ」  左列四段目のボタンを一回押し  続けて左列三段目のボタンを一回押し  続けて中列一段目のボタンを一回押す
「つぃ」  左列四段目のボタンを一回押し  続けて左列三段目のボタンを一回押し  続けて中列二段目のボタンを一回押す
「つぇ」  左列四段目のボタンを一回押し  続けて左列三段目のボタンを一回押し  続けて中列四段目のボタンを一回押す
「つぉ」  左列四段目のボタンを一回押し  続けて左列三段目のボタンを一回押し  続けて中列五段目のボタンを一回押す
「てゃ」  左列四段目のボタンを一回押し  続けて右列一段目のボタンを一回押し  続けて中列一段目のボタンを一回押す
「てぃ」  左列四段目のボタンを一回押し  続けて右列一段目のボタンを一回押し  続けて中列二段目のボタンを一回押す
「てゅ」  左列四段目のボタンを一回押し  続けて右列一段目のボタンを一回押し  続けて中列三段目のボタンを一回押す
「てぇ」  左列四段目のボタンを一回押し  続けて右列一段目のボタンを一回押し  続けて中列四段目のボタンを一回押す
「てょ」  左列四段目のボタンを一回押し  続けて右列一段目のボタンを一回押し  続けて中列五段目のボタンを一回押す
「とぅ」  左列四段目のボタンを一回押し  続けて右列五段目のボタンを一回押し  続けて中列三段目のボタンを一回押す
「にゃ」  左列五段目のボタンを一回押し  続けて右列三段目のボタンを一回押し  続けて中列一段目のボタンを一回押す
「にぃ」  左列五段目のボタンを一回押し  続けて右列三段目のボタンを一回押し  続けて中列二段目のボタンを一回押す
「にゅ」  左列五段目のボタンを一回押し  続けて右列三段目のボタンを一回押し  続けて中列三段目のボタンを一回押す
「にぇ」  左列五段目のボタンを一回押し  続けて右列三段目のボタンを一回押し  続けて中列四段目のボタンを一回押す
「にょ」  左列五段目のボタンを一回押し  続けて右列三段目のボタンを一回押し  続けて中列五段目のボタンを一回押す
「ひゃ」  右列一段目のボタンを一回押し  続けて右列三段目のボタンを一回押し  続けて中列一段目のボタンを一回押す
「ひぃ」  右列一段目のボタンを一回押し  続けて右列三段目のボタンを一回押し  続けて中列二段目のボタンを一回押す
「ひゅ」  右列一段目のボタンを一回押し  続けて右列三段目のボタンを一回押し  続けて中列三段目のボタンを一回押す
「ひぇ」  右列一段目のボタンを一回押し  続けて右列三段目のボタンを一回押し  続けて中列四段目のボタンを一回押す
「ひょ」  右列一段目のボタンを一回押し  続けて右列三段目のボタンを一回押し  続けて中列五段目のボタンを一回押す
「みゃ」  右列二段目のボタンを一回押し  続けて右列三段目のボタンを一回押し  続けて中列一段目のボタンを一回押す
「みぃ」  右列二段目のボタンを一回押し  続けて右列三段目のボタンを一回押し  続けて中列二段目のボタンを一回押す
「みゅ」  右列二段目のボタンを一回押し  続けて右列三段目のボタンを一回押し  続けて中列三段目のボタンを一回押す
「みぇ」  右列二段目のボタンを一回押し  続けて右列三段目のボタンを一回押し  続けて中列四段目のボタンを一回押す
「みょ」  右列二段目のボタンを一回押し  続けて右列三段目のボタンを一回押し  続けて中列五段目のボタンを一回押す
「りゃ」  右列四段目のボタンを一回押し  続けて右列三段目のボタンを一回押し  続けて中列一段目のボタンを一回押す
「りぃ」  右列四段目のボタンを一回押し  続けて右列三段目のボタンを一回押し  続けて中列二段目のボタンを一回押す。
「りゅ」  右列四段目のボタンを一回押し  続けて右列三段目のボタンを一回押し  続けて中列三段目のボタンを一回押す
「りぇ」  右列四段目のボタンを一回押し  続けて右列三段目のボタンを一回押し  続けて中列四段目のボタンを一回押す
「りょ」  右列四段目のボタンを一回押し  続けて右列三段目のボタンを一回押し  続けて中列五段目のボタンを一回押す
「うぃ」  右列五段目のボタンを一回押し  続けて中列二段目のボタンを一回押す
「うぇ」  右列五段目のボタンを一回押し  続けて中列四段目のボタンを一回押す
「いぇ」  右列三段目のボタンを一回押し  続けて中列四段目のボタンを一回押す
「ぎゃ」  左列二段目のボタンを一回押し  続けて右列三段目のボタンを一回押し  続けて中列一段目のボタンを二回押す
「ぎぃ」  左列二段目のボタンを一回押し  続けて右列三段目のボタンを一回押し  続けて中列二段目のボタンを二回押す
「ぎゅ」  左列二段目のボタンを一回押し  続けて右列三段目のボタンを一回押し  続けて中列三段目のボタンを二回押す
「ぎぇ」  左列二段目のボタンを一回押し  続けて右列三段目のボタンを一回押し  続けて中列四段目のボタンを二回押す
「ぎょ」  左列二段目のボタンを一回押し  続けて右列三段目のボタンを一回押し  続けて中列五段目のボタンを二回押す
「ぐぁ」  左列二段目のボタンを一回押し  続けて右列五段目のボタンを一回押し  続けて中列一段目のボタンを二回押す
「じゃ」  左列三段目のボタンを一回押し  続けて右列三段目のボタンを一回押し  続けて中列一段目のボタンを二回押す
「じぃ」  左列三段目のボタンを一回押し  続けて右列三段目のボタンを一回押し  続けて中列二段目のボタンを二回押す
「じゅ」  左列三段目のボタンを一回押し  続けて右列三段目のボタンを一回押し  続けて中列三段目のボタンを二回押す
「じぇ」  左列三段目のボタンを一回押し  続けて右列三段目のボタンを一回押し  続けて中列四段目のボタンを二回押す
「じょ」  左列三段目のボタンを一回押し  続けて右列三段目のボタンを一回押し  続けて中列五段目のボタンを二回押す
「ぢゃ」  左列四段目のボタンを一回押し  続けて右列三段目のボタンを一回押し  続けて中列一段目のボタンを二回押す
「ぢぃ」  左列四段目のボタンを一回押し  続けて右列三段目のボタンを一回押し  続けて中列二段目のボタンを二回押す
「ぢゅ」  左列四段目のボタンを一回押し  続けて右列三段目のボタンを一回押し  続けて中列三段目のボタンを二回押す
「ぢぇ」  左列四段目のボタンを一回押し  続けて右列三段目のボタンを一回押し  続けて中列四段目のボタンを二回押す
「ぢょ」  左列四段目のボタンを一回押し  続けて右列三段目のボタンを一回押し  続けて中列五段目のボタンを二回押す
「でゃ」  左列四段目のボタンを一回押し  続けて右列一段目のボタンを一回押し  続けて中列一段目のボタンを二回押す
「でぃ」  左列四段目のボタンを一回押し  続けて右列一段目のボタンを一回押し  続けて中列二段目のボタンを二回押す
「でゅ」  左列四段目のボタンを一回押し  続けて右列一段目のボタンを一回押し  続けて中列三段目のボタンを二回押す
「でぇ」  左列四段目のボタンを一回押し  続けて右列一段目のボタンを一回押し  続けて中列四段目のボタンを二回押す
「でょ」  左列四段目のボタンを一回押し  続けて右列一段目のボタンを一回押し  続けて中列五段目のボタンを二回押す
「どぅ」  左列四段目のボタンを一回押し  続けて右列五段目のボタンを一回押し  続けて中列三段目のボタンを二回押す
「びゃ」  右列一段目のボタンを一回押し  続けて右列三段目のボタンを一回押し  続けて中列一段目のボタンを二回押す
「びぃ」  右列一段目のボタンを一回押し  続けて右列三段目のボタンを一回押し  続けて中列二段目のボタンを二回押す
「びゅ」  右列一段目のボタンを一回押し  続けて右列三段目のボタンを一回押し  続けて中列三段目のボタンを二回押す
「びぇ」  右列一段目のボタンを一回押し  続けて右列三段目のボタンを一回押し  続けて中列四段目のボタンを二回押す
「びょ」  右列一段目のボタンを一回押し  続けて右列三段目のボタンを一回押し  続けて中列五段目のボタンを二回押す
「ぴゃ」  右列一段目のボタンを一回押し  続けて右列三段目のボタンを一回押し  続けて中列一段目のボタンを三回押す
「ぴぃ」  右列一段目のボタンを一回押し  続けて右列三段目のボタンを一回押し  続けて中列二段目のボタンを三回押す
「ぴゅ」  右列一段目のボタンを一回押し  続けて右列三段目のボタンを一回押し  続けて中列三段目のボタンを三回押す
「ぴぇ」  右列一段目のボタンを一回押し  続けて右列三段目のボタンを一回押し  続けて中列四段目のボタンを三回押す
「ぴょ」  右列一段目のボタンを一回押し  続けて右列三段目のボタンを一回押し  続けて中列五段目のボタンを三回押す
【請求項７】
縦三列横五段という十五個のボタン配置による、促音を含む文字の入力方法
「っか」  左列二段目のボタンを二回押し  続けて中列一段目のボタンを一回押す
「っき」  左列二段目のボタンを二回押し  続けて中列二段目のボタンを一回押す
「っく」  左列二段目のボタンを二回押し  続けて中列三段目のボタンを一回押す
「っけ」  左列二段目のボタンを二回押し  続けて中列四段目のボタンを一回押す
「っこ」  左列二段目のボタンを二回押し  続けて中列五段目のボタンを一回押す
「っが」  左列二段目のボタンを二回押し  続けて中列一段目のボタンを二回押す
「っぎ」  左列二段目のボタンを二回押し  続けて中列二段目のボタンを二回押す
「っぐ」  左列二段目のボタンを二回押し  続けて中列三段目のボタンを二回押す
「っげ」  左列二段目のボタンを二回押し  続けて中列四段目のボタンを二回押す
「っご」  左列二段目のボタンを二回押し  続けて中列五段目のボタンを二回押す
「っさ」  左列三段目のボタンを二回押し  続けて中列一段目のボタンを一回押す
「っし」  左列三段目のボタンを二回押し  続けて中列二段目のボタンを一回押す
「っす」  左列三段目のボタンを二回押し  続けて中列三段目のボタンを一回押す
「っせ」  左列三段目のボタンを二回押し  続けて中列四段目のボタンを一回押す
「っそ」  左列三段目のボタンを二回押し  続けて中列五段目のボタンを一回押す
「っざ」  左列三段目のボタンを二回押し  続けて中列一段目のボタンを二回押す
「っじ」  左列三段目のボタンを二回押し  続けて中列二段目のボタンを二回押す
「っず」  左列三段目のボタンを二回押し  続けて中列三段目のボタンを二回押す
「っぜ」  左列三段目のボタンを二回押し  続けて中列四段目のボタンを二回押す
「っぞ」  左列三段目のボタンを二回押し  続けて中列五段目のボタンを二回押す
「った」  左列四段目のボタンを二回押し  続けて中列一段目のボタンを一回押す
「っち」  左列四段目のボタンを二回押し  続けて中列二段目のボタンを一回押す
「っつ」  左列四段目のボタンを二回押し  続けて中列三段目のボタンを一回押す
「って」  左列四段目のボタンを二回押し  続けて中列四段目のボタンを一回押す
「っと」  左列四段目のボタンを二回押し  続けて中列五段目のボタンを一回押す
「っだ」  左列四段目のボタンを二回押し  続けて中列一段目のボタンを二回押す
「っぢ」  左列四段目のボタンを二回押し  続けて中列二段目のボタンを二回押す
「っづ」  左列四段目のボタンを二回押し  続けて中列三段目のボタンを二回押す
「っで」  左列四段目のボタンを二回押し  続けて中列四段目のボタンを二回押す
「っど」  左列四段目のボタンを二回押し  続けて中列五段目のボタンを二回押す
「っは」  左列五段目のボタンを二回押し  続けて中列一段目のボタンを一回押す
「っひ」  左列五段目のボタンを二回押し  続けて中列二段目のボタンを一回押す
「っふ」  左列五段目のボタンを二回押し  続けて中列三段目のボタンを一回押す
「っへ」  左列五段目のボタンを二回押し  続けて中列四段目のボタンを一回押す
「っほ」  左列五段目のボタンを二回押し  続けて中列五段目のボタンを一回押す
「っば」  左列五段目のボタンを二回押し  続けて中列一段目のボタンを二回押す
「っび」  左列五段目のボタンを二回押し  続けて中列二段目のボタンを二回押す
「っぶ」  左列五段目のボタンを二回押し  続けて中列三段目のボタンを二回押す
「っべ」  左列五段目のボタンを二回押し  続けて中列四段目のボタンを二回押す
「っぼ」  左列五段目のボタンを二回押し  続けて中列五段目のボタンを二回押す
「っぱ」  左列五段目のボタンを二回押し  続けて中列一段目のボタンを三回押す
「っぴ」  左列五段目のボタンを二回押し  続けて中列二段目のボタンを三回押す
「っぷ」  左列五段目のボタンを二回押し  続けて中列三段目のボタンを三回押す
「っぺ」  左列五段目のボタンを二回押し  続けて中列四段目のボタンを三回押す
「っぽ」  左列五段目のボタンを二回押し  続けて中列五段目のボタンを三回押す
【請求項８】
縦三列横五段という十五個のボタン配置による、長音の入力方法
「ー」  右列二段目のボタンを二回押す
【請求項９】
縦三列横五段という十五個のボタン配置による、読点の入力方法
「、」  右列四段目のボタンを二回押す
【請求項１０】
縦三列横五段という十五個のボタン配置による、句点の入力方法「。」  右列五段目のボタンを二回押す
【請求項１１】
縦三列横五段という十五個のボタン配置による、疑問符の入力方法
「？」  右列三段目のボタンを二回押す
【請求項１２】
縦三列横五段という十五個のボタン配置による、バックスペース（直前の文字を削除）の入力方法
左列一段目のボタンを二回押す
【請求項１３】
縦三列横五段という十五個のボタン配置による、文字入力途中のキャンセルの方法
左列一段目のボタンを二回押す
【請求項１４】
縦三列横五段という十五個のボタン配置による、小文字の入力方法
「ぁ」  左列一段目のボタンを一回押し  続けて中列一段目のボタンを二回押す
「ぃ」  左列一段目のボタンを一回押し  続けて中列二段目のボタンを二回押す
「ぅ」  左列一段目のボタンを一回押し  続けて中列三段目のボタンを二回押す
「ぇ」  左列一段目のボタンを一回押し  続けて中列四段目のボタンを二回押す
「ぉ」  左列一段目のボタンを一回押し  続けて中列五段目のボタンを二回押す
「ヵ」  左列二段目のボタンを一回押し  続けて中列一段目のボタンを三回押す
「ヶ」  左列二段目のボタンを一回押し  続けて中列四段目のボタンを三回押す
「っ」  左列四段目のボタンを一回押し  続けて中列三段目のボタンを三回押す
「ゃ」  右列三段目のボタンを一回押し  続けて中列一段目のボタンを二回押す
「ゅ」  右列三段目のボタンを一回押し  続けて中列三段目のボタンを二回押す
「ょ」  右列三段目のボタンを一回押し  続けて中列五段目のボタンを二回押す
「ゎ」  右列五段目のボタンを一回押し  続けて中列一段目のボタンを二回押す
【発明の詳細な説明】
【０００１】
【発明の属する技術分野】
本発明は、ボタンを押すことで、文字入力を行う器機（で且つ携帯性があるもの）
における、文字入力の方法及びそのボタン配置に関するものである。
【０００２】
【従来の技術】
ボタンを押すことで、文字入力を行う器機（で且つ携帯性があるもの）
携帯電話・ポケベル型入力方法がある。
これら入力方法は、もう完全に市民権を得、共通理解を得ていると考えられるので、以下ものを参照して頂きたい。
携帯電話の文字入力方法
（参照  身近に有る日本語入力のできる携帯電話）
ポケベル型入力方法
（参照  身近に有るポケベル型入力のできる携帯電話・ポケベル）
（携帯電話入力方法はひとつのボタンがあ行・か行た行と担当し、さ行のボタンを五回押すと「そ」  と  入力  できる  共通して理解している通常の知識だと考えますし、そのような通常の知識・携帯電話の文字入力などを行った経験が以下を読んでいく中での理解に非常に関係してきます。）
【０００３】
【発明が解決しようとする課題】
従来の日本語入力方法及び配置は、わかり難く、利便性に欠け、誤入力を招きやすい、ストレスの多く掛かるものであった。
原因は、ボタンの役割分担が適切にできていなかった。（一つのボタンが多くの役割を担当していた）
日本語の特徴を踏まえた配置をしていなかった。（わかり難さを招いていた）
完全に一文字ずつの入力で、小文字が入る語「じゅ」などを「じ」と「ゅ」に分けて入力していた。（機能性・利便性に欠ける）
その原因から、起こる具体的問題として、これも共通理解・通常の知識だと考えるので、詳細は簡単に
「通りすぎ」  （「け」を入力しようとして、「こ」までいってしまう）
同じ行と気がつかず、前の文字消す。
小文字・濁音・半濁音の入力。複数回ボタンを押さなければならない。
など多々あります。
課題は本発明が、解決します。
なお、課題（ストレスが掛かる）の性質上、キーボードを持ち出して、入力作業を行うと言う事は、除きます。
【０００４】
【課題を解決するための手段】
課題を解決するために最も有効な手段は、ボタンの役割分担を適切にする
日本語の特徴を踏まえた配置をすると言う二つの原因を考えた時、自ずと導かせられる。
母音の待遇である。
それは、母音の配置・役割分担は、第一優先に扱うと言う事である。
それが、課題の解決する、唯一の手段であるからである。
【０００５】
母音を担当するボタンを中列にまとめて配置した。（図１〜図２）
母音五つまとめて一列で無いと課題解決にはならない。課題が残ってしまうのである。
【０００６】
母音を担当するボタンは、課題を解決するという見地より
一段目をあ段を担当するボタン
二段目をい段を担当するボタン
三段目をう段を担当するボタン
四段目をえ段を担当するボタン
五段目をお段を担当するボタン
とした。
以下母音を担当する五つのボタンを総称として母音ボタンと呼びます。
【０００７】
カ行の子音を担当するボタン（２）を左列二段目に配置します。
サ行の子音を担当するボタン（３）を左列三段目に配置します。
タ行の子音を担当するボタン（４）を左列四段目に配置します。
ナ行の子音を担当するボタン（５）を左列五段目に配置します。
ハ行の子音を担当するボタン（１１）を右列一段目に配置します。
マ行の子音を担当するボタン（１２）を右列一段目に配置します。
ヤ行の子音を担当するボタン（１３）を右列一段目に配置します。
ラ行の子音を担当するボタン（１４）を右列一段目に配置します。
ワ行の子音を担当するボタン（１５）を右列一段目に配置します。
ア行の子音に相当する文字を担当するボタン（１）を左列二段目に配置します。
以下子音を担当する五つのボタンを総称として子音ボタンと呼びます。
【０００８】
課題を解決するために、この配置は、絶対不可欠である。
本発明では、課題解決のため、あらゆる事を考慮にいれ、このような配置にしたのである。
この子音ボタンの配置も課題解決のための配置である。
日本語の特徴として、五音で区切って文字列を読む
つまり、あかさたな  一拍して、たちつてと
と言う読み方である。「な」で、区切れる。
例えば、「た」からでは、たなはまやら  と
すらすらと頭で考えられないのである。
すらすらと頭で考えられるのは、「あ」からか「は」からしかないのである。
そこで、課題解決に挑むこの配置では、「あ〜た」を左列、「は〜わ」を右列に配置した。
【０００９】
課題を解決するための大きなポイントは、
ボタンが、「見つけ易い」「探し易い」と言う事です。この配置は、それに該当すると考えます。
【００１０】
母音ボタンを中列に配置したのも課題解決の手段である。
これも日本語についてだが、文字は、子音＋母音で、（促音など除く）構成されている。子音＋母音  子音＋母音  の繰り返しである。配置で、考えると右列から、隣の列へ、左列から、隣の中列へ、明らかに課題解決へ向かっているます。また、これは、親指一本で、入力する事を考え、指の移動が、少なくできることを視野に入れました。これも勿論課題解決の手法です。
【００１１】
上記の様にこの配置は、絶対に崩してはならない、縦三列横五段の十五個のボタン配置である。五段でなければ、課題解決の手段にはならない。母音をまとめて配置しなければ、課題解決の手段にならない。
この配置は、課題を解決するための無くてはならない条件です。
【００１２】
【発明の実施の形態】
以下、本発明の実施の形態について説明する。
課題の直接の解決は入力であるが、手段として挙げた縦三列横五段で十五個のボタンでおこなう事、その手段が、無ければ、その解決は、未完成のものとなる。
その大きな理由の一つとして、縦三列横五段で十五個のボタン配置は、該当ボタンを見つけ易いと言う事がある。
入力に関して、見つけ易いこれが、課題解決の大きなファクターとなる。あくまでも、この配置を利用して行う入力方法であるから、課題をクリアできると考える。以下入力の方法を説明する。
【００１３】
濁音・半濁音の含まない直音の文字入力に関して
該当する子音ボタンを押し    例えば「も」  だったら、「も」は、マ行ですので、該当する子音は右列の二段目です。右列二段目を一回押します。これで、マ行の子音を担当する情報が、入力されました。
次に「も」は、お段です。お段に該当する母音ボタンは中列の五段目です。
中列五段目のボタンを一回押します。これで、「も」と入力されました。
【００１４】
濁音の入力に関して
該当する子音ボタンを  例えば「げ」  だったら、「げ」はカ行として扱います、
ですから、左列の二段目のボタンを一回押します。これで、カ行の子音を担当する情報が、認識されます。「げ」は、え段です。え段の母音を担当するボタン中列の四段目のボタンを      ここで注意なのですが、一回だと「け」です。ですから、中列の四段目のボタンを二度押します。これで、「げ」と入力されました。
【００１５】
半濁音の入力に関して、該当する子音ボタンを
例えば「ぴ」だったら、
「ぴ」は、ハ行として扱います。ですから、右列の一段目のボタンを一回押します。
「ぴ」は、い段です。い段の母音を担当するボタン中列の二段目のボタンを
ここでまた、注意なのですが、一回だと「ひ」二回だと「び」
ですから、中列の二段目のボタンを三回押します。
【００１６】
促音の入力に関して
例えば「いって」
ア行の左列一段目を一回押し、い段の中列二段目のボタンを一回押す
次にタ行のボタンを押す二回押します。この段階で、「っ」の入力が、完了します。
次に母音ボタンの選択「て」は、え段なので、中列四段目のボタンを一回押します。
【００１７】
撥音の入力に関して
左列五段目のボタンを二度押します。二回目押した時点で入力完了です。これは、ナ行の直前に「っ」が付く文字が無いことから、操作上誤作動の無い形として、利用可能です。
また、固有名詞などで  「ナッナ」のような文字を入力したい場合小文字の入力方法が、あるので、その入力方法で実現は可能です。
【００１８】
拗音（現代仮名遣いにある）の入力に関して
右列三段目のボタンを利用します。該当する子音を選んで例えば「きゃ」
カ行なので左列二段目のボタンを一回押し、続いて、ここからです。普通は、次に母音です。
促音の場合は、もう一度そのボタンですが、拗音（現代仮名遣いにある）の場合は、右列三段目です。右列三段目を一回押して、「きゃ」は、あ段なので
中列一段目を一回押します。
【００１９】
拗音（現代仮名遣いにない）の入力に関して
左列三段目のボタンを利用します。
該当する子音を選んで
例えば「つぁ」左列四段目のボタンを一回押し  続けて左列三段目のボタンを一回押し  続けて中列一段目のボタンを一回押す。
「つぃ」「つぇ」「つぉ」についても同様に左列三段目のボタンを利用し該当する子音ボタン＋右列三段目のボタン＋該当する母音ボタンで入力します。
【００２０】
拗音（現代仮名遣いにない）の入力に関して
右列一段目のボタンを利用します。
該当する子音を選んで
例えば「てぃ」  左列四段目のボタンを一回押し  続けて右列一段目のボタンを一回押し  続けて中列二段目のボタンを一回押す。
その他「てゃ」「てゅ」「てぇ」「てょ」「でゃ」「でぃ」「でゅ」「でぇ」「でょ」についても同様に右列一段目のボタンを利用し該当する子音ボタン＋右列一段目のボタン＋該当する母音ボタンで入力します。
【００２１】
拗音（現代仮名遣いにない）の入力に関して
右列五段目のボタンを利用します。
該当する子音を選んで
例えば「ぐぁ」カ行にあたるので左列二段目のボタンを一回押し  続けて右列五段目のボタンを一回押し  続けて  あ段にあたるので、  中列一段目のボタンを二回押す。
その他「とぅ」「どぅ」「くぁ」についても、同じく右列五段目のボタンを利用し
該当する子音ボタン＋右列五段目のボタン＋該当する母音ボタン
【００２２】
長音の入力に関して
「ー」  右列二段目のボタンを二回押します。
二回目押した時点で入力完了です。これは、マ行の直前に「っ」が付く文字が無いことから、操作上誤作動の無い形として、利用可能です。また、固有名詞などで  「ミッミ」のような文字を入力したい場合、小文字の入力方法があるので、その入力方法で実現は可能です。
【００２３】
読点の入力に関して
「、」  右列四段目のボタンを二回押す
これは、ラ行の直前に「っ」が付く文字が無いことから、操作上誤作動の無い形として利用可能です。また、固有名詞などで「リッリ」のような文字を入力したい場合、小文字の入力方法が、あるので、その入力方法で実現は可能です。
【００２４】
句点の入力に関して
「。」  右列五段目のボタンを二回押す
これは、ワ行の直前に「っ」が付く文字が無いことから、操作上誤作動の無い形として、利用可能です。また、固有名詞などで  「ワッワ」のような文字を入力したい場合小文字の入力方法が、あるので、その入力方法で実現は可能です。
【００２５】
疑問符の入力に関して
「？」  右列三段目のボタンを二回押す
これは、ヤ行の直前に「っ」が付く文字が無いことから、操作上誤作動の無い形として、利用可能です。また、固有名詞などで  「ユッユ」のような文字を入力したい場合、小文字の入力方法が、あるので、その入力方法で実現は可能です。
【００２６】
バックスペース（直前の文字を削除）の入力方法
左列一段目のボタンを二回押す
これは、ア行の直前に「っ」が付く文字が無いことから、操作上誤作動の無い形として、利用可能です。また、固有名詞などで  「ウッウ」のような文字を入力したい場合、小文字の入力方法が、あるので、その入力方法で実現は可能です。
【００２７】
入力中、非確定文字のキャンセルの入力方法
左列一段目のボタンを二回押すこれは、ア行の直前に「っ」が付く文字が無いことから、操作上誤作動の無い形として、利用可能です。
また、固有名詞などで  「ウッウ」のような文字を入力したい場合、小文字の入力方法が、あるので、その入力方法で実現は可能です。
【００２８】
小文字の入力方法に関して１５ボタン三列五段において（図１）
「ぁ」  左列一段目のボタンを一回押し  続けて中列一段目のボタンを二回押す
「ぃ」  左列一段目のボタンを一回押し  続けて中列二段目のボタンを二回押す
「ぅ」  左列一段目のボタンを一回押し  続けて中列三段目のボタンを二回押す
「ぇ」  左列一段目のボタンを一回押し  続けて中列四段目のボタンを二回押す
「ぉ」  左列一段目のボタンを一回押し  続けて中列五段目のボタンを二回押す
「ヵ」  左列二段目のボタンを一回押し  続けて中列一段目のボタンを三回押す
「ヶ」  左列二段目のボタンを一回押し  続けて中列四段目のボタンを三回押す
「っ」  左列四段目のボタンを一回押し  続けて中列三段目のボタンを三回押す
「ゃ」  右列三段目のボタンを一回押し  続けて中列一段目のボタンを二回押す
「ゅ」  右列三段目のボタンを一回押し  続けて中列三段目のボタンを二回押す
「ょ」  右列三段目のボタンを一回押し  続けて中列五段目のボタンを二回押す
「ゎ」  右列五段目のボタンを一回押し  続けて中列一段目のボタンを二回押す
【００２９】
先にも少し記述したが、
小文字が、入る文章などは、複数の入力があり、どちらでも可能である。
例えば「しょう」一字づつ「し」「ょ」「う」と入力してもよい。
【００３０】
また、「っ」の文字を入力したい場合、「っと」入力して、一文字バックスペースで、削除して、「っ」と入力することもできる。
【００３１】
【発明の効果】
本発明は、以上説明したような形状で実施さます。
従来の技術と本発明課題のクリアに成ったと考えます。
以下、に記載されるような効果を秦する。
【００３２】
的確に効果を感じる方法は、
まず、図１〜図２を見ながら、具体例を挙げて考えるのが、一番だと考えます。
例「ろ」の入力
「ろ」は、
ラ行  右列の四段目です。
右列四段目のボタンを一回押し、
「ろ」はお段  お段だから、中列五段目  ボタンを一回押します。
従来の技術・方法で、「ろ」の入力。想像してください。
まず、一目見て、わかり易さが違うと考えます。
その効果も改めて感じられると思います。
【００３３】
さらに強烈に効果を感じさせる例をひとつだけ挙げます。
「とった。」
左列四段目＋中列五段目＋左列四段目＋左列四段目＋中列一段目＋右列五段目＋右列五段目です。
従来の方法をよーく考えてシュミレーションして見てください。効果を感じられると思います。（また、「ぎゃっぷ、」「じゅっぱひとからげ。」などでも。）
【００３４】
発明が解決しようとする課題をかなり、クリアできました。
これが、効果です。
【００３５】
そのクリアに伴い、このシステマティックな入力方法が入力の迅速化、快適さ・リズム・スムーズさなどが、自然に発生すると考えます。
これも十分効果だと考えます。また、この方法は、慣れ易いです。
そこから、大きな効果が、生まれるとも考えます。
【００３６】
細かく効果を書くと
該当ボタンを直に見つけられる。
指（親指が対象となると考えます）を動かすのが、楽である。
今入力している文字の行を考えずに済む。
などまだ多数ありますが、それは、先の例において、肌で感じていると考えます。それらが、効果であり、人によって効果は、違ってくると感じますが明らかに効果の方が多く存在し、課題の無い入力方法を提供できます。
【００３７】
端的・まとめて大きく言うと効果は、わかり易く、利便性に富み、誤入力を招き難い、ストレスの多く掛かない、機能性の有る便利なものになった事です。
【図面の簡単な説明】
【図１】本発明  三列五段のボタン配置を示す正面図である。
【図２】ガイド表示付きの本発明  三列五段のボタン配置を示す正面図である。
【符号の説明】
１左列一段目に配置されたボタン
２左列二段目に配置されたボタン
３左列三段目に配置されたボタン
４左列四段目に配置されたボタン
５左列五段目に配置されたボタン
６中列一段目に配置されたボタン
７中列二段目に配置されたボタン
８中列三段目に配置されたボタン
９中列四段目に配置されたボタン
１０中列五段目に配置されたボタン
１１右列一段目に配置されたボタン
１２右列二段目に配置されたボタン
１３右列三段目に配置されたボタン
１４右列四段目に配置されたボタン
１５右列五段目に配置されたボタン
６・７・８・９・１０の総称として、母音ボタン
１・２・３・４・５・１１・１２・１３・１４・１５の総称として、子音ボタン
【図１】
2004240808.tif 000003
【図２】
2004240808.tif 000004